(57)【要約】      （修正有）【課題】濾過水の水量を制御可能なレベルに維持することを可とする、水の濾過装置を提供する。【解決手段】頂部に入口１４２と下部に出口１２４とを備え、内部に第１の空間１１を有するケーシング１０と第１の空間に収容される内部部品２０とを備え、内部部品は内部チューブ２３を配置したカバーを備え、内部チューブと内部部品の内周間に形成された第２の空間２２内に濾過粒子２４が収容され、内部部品は第１と第２の空間とに連通する孔２２１を含み、入口から第１の空間に流入した水が、第２の空間に流入した後、濾過粒子によって濾過され、濾過水が内部チューブ２３に流入して、ケーシングの出口から流出する。【選択図】図１
0003148008.tif 000002
【実用新案登録請求の範囲】
【請求項１】
水の濾過装置であって、
内部に第１の空間を有するケーシングと、前記ケーシングの第１の空間内に配置される内部部品とを備え、
前記ケーシングは下端に係合部分を備えるとともに、該係合部分が、中心を貫通するように形成した出口と前記出口の内周に形成した環状凹部を有し、
前記環状凹部に濾過ユニットが係合し、
第１のカバーが、前記ケーシングの開口頂部に接続されると共に、入口が形成された筒状部を有し、前記入口の内周部に収容凹部が形成され、ならびに
ケーシングの第１の空間内に配置される前記内部部品は下端部から延出する係合チューブを有し、
前記係合チューブが、係合部分の環状凹部と係合すると共に、濾過ユニットに配置され、
前記内部部品が、内部チューブが配置される第２の空間を有し、
前記内部チューブが、前記濾過ユニットと前記出口に対応して配置され、
前記内側部品の下端を貫通して複数の孔が形成され、且つ前記内部チューブの周りに配置された前記孔が、濾過粒子が収容される前記第２の空間と連通し、
前記濾過ネットが前記第２の空間の開口頂部と前記内部チューブの開口頂部とに接続され、
前記第２のカバーが前記内側部品の前記開口頂部に取り付けられると共に、その頂部に複数の接続片を有し、
各接続片が分離片と接続され、
前記接続片に濾過剤が接続されると共に、前記第２のカバーと前記濾過剤との間のギャップを形成して前記分離片上に載置され、
前記濾過剤が、貫通するように形成された複数の通路を含み、
前記濾過剤の頂部が、前記筒状部の前記収容凹部と係合していることを特徴とする、
水の濾過装置。
【請求項２】
肩部が、前記内部チューブの外周から延出すると共に前記第２の空間内に配置され、ネット部材が、前記第２の空間内に配置されると共に前記肩部の頂部に載置され、前記ネット部材が、前記内部チューブに対応して配置され、中心に貫通するように形成される貫通孔を有し、前記ネット部材内に複数の濾過粒子が充填されることを特徴とする、請求項１に記載の水の濾過装置。
【請求項３】
前記第１のカバーが、前記筒状部の外周に形成される雄螺子を有し、雌螺子が前記出口の内周に形成されることを特徴とする、請求項１に記載の水の濾過装置。
【請求項４】
水の濾過装置であって、
２つの固定ヘッドを有する内部部品を備え、
前記２つの固定ヘッドが、前記内部部品の頂端と下端に接続され、
前記各固定ヘッドがＯリングを有し、
前記内部部品の頂端の固定ヘッドが、その頂部に形成された凹部を有し、
前記固定ヘッドを貫通して半径孔が形成されると共に、半径孔が前記凹部と連通し、
前記内部部品が、その中心に位置する内部チューブを有し、
前記内部チューブが、前記内部部品の下端の固定ヘッドを貫通して延出し、
複数の孔が、前記内部部品の前記下端を貫通するように形成され、且つ前記内部チューブの周りに配置され、
前記内部部品が前記２つの固定ヘッドと共にパイプに挿入され、
前記固定ヘッドのＯリングが、前記パイプの内側と接触していることを特徴とする、
水の濾過装置。
【考案の詳細な説明】
【技術分野】
【０００１】
本考案は水の濾過装置に関し、特に水が出口へ流出する前に、濾過粒子が収容された空間に水が満たされる、水の濾過装置に関する。
【背景技術】
【０００２】
従来の水の濾過装置は、２層から５層の濾過層によって頂部から底部へ、又は外側から内側へ水を濾過するものである。
【考案の開示】
【考案が解決しようとする課題】
【０００３】
水の濾過に使用される濾過粒子は、樹脂と共に使用される。この樹脂は、わずかに溶解され、且つ濾過ネットに付着する可能性がある。そのため、使用期間が長くなると濾過水の水量が少なくなる。
【０００４】
本考案は上記した従来の水の濾過装置の問題点を解決するために成されたもので、その目的とするところは、２つの空間を備え、一方が濾過粒子で充填され、水が出口へ流出する前に、２つの空間に水が満たさなければならない、改良された水の濾過装置を提供することにある。この方法により、濾過水の水量は制御可能なレベルに維持することができる。
【課題を解決するための手段】
【０００５】
本考案は、中に形成された第１の空間を有するケーシングを備え、係合部分がケーシングの下端に接続されている、水の濾過装置に関する。係合部分は、中心に貫通するように形成される出口を備え、濾過ユニットがこの出口に収容される。第１のカバーは、このケーシングの開口頂部に接続され、入口は、第１のカバーを貫通するように形成される。内部部品は、このケーシングの第１の空間内に配置され且つケーシングの係合部分に接続されると共に濾過ユニットに配置される。内部部品は、内部に内部チューブが配置されると共に濾過ユニットと出口に連通する第２の空間を有する。複数の孔は、内部部品の下端を貫通するように形成され、且つ内部に濾過粒子が収容される第２の空間に連通している。濾過ネットは、第２の空間の開口頂部と内部チューブの開口頂部に接続される。第２のカバーは、内部部品の開口頂部に取り付けられ、且つその頂部に複数の接続片を有する。各接続片は、分離片と接続される。濾過剤は、接続片に接続されると共に第２のカバーと濾過剤との間にギャップを形成するように分離片上に載置される。濾過剤は、貫通するように形成される複数の通路を備える。
【０００６】
本考案の主な目的は、２つの空間を備え、一方が濾過粒子で充填されており、水が出口へ流出する前に、２つの空間に水が満たさなければならない、水の濾過装置を提供することである。この方法により、濾過水の量は制御可能なレベルに維持することができる。
【０００７】
本考案の別の目的は、水が出口から流出しない時でも濾過粒子が水と合流する、水の濾過装置を提供することである。これにより、濾過粒子は水不足により互いに付着することがなくなる。
【０００８】
本考案は、添付の図面と関連させて考えると、以下の説明からより明らかになるであろう。これらの図面は、単に例示を目的として、本考案による好ましい実施形態を示すものである。
【考案を実施するための最良の形態】
【０００９】
図１乃至図７を参照すると、本考案の水の濾過装置は、開口頂部を有するケーシング１０を備える。
第１の空間１１がこのケーシング１０内に形成される。
係合部分１２は、ケーシング１０の下端に接続され、この係合部分１２の頂部に形成される係合凹部１２１を備えており、Ｏリング１２２がこの係合凹部１２１と係合する。
係合部分１２は、中心に貫通するように形成される出口１２４を有する。環状凹部１２３は、出口１２４の内周に形成される。
濾過ユニット１３は、環状凹部１２３と係合する。
【００１０】
第１のカバー１４は、ケーシング１０の開口頂部に接続される。
第１のカバー１４は、その頂部から延出する筒状部１４１を有する。
入口１４２は、筒状部１４１を貫通するように形成され、ケーシング１０の第１の空間１１と連通する。
収容凹部１４３は、入口１４２の内周に形成される。
【００１１】
内部部品２０は、ケーシング１０の第１の空間１１に配置され、且つその下端から延出する係合チューブ２１を備える。
係合チューブ２１は、係合部分１２の環状凹部１２３と係合すると共に濾過ユニット１３上に配置される。
Ｏリング１２２は、係合部分１２と内部部品２０との結合部を密閉する。
【００１２】
内部部品２０は、中に内部チューブ２３が配置される第２の空間２２を有する。
内部チューブ２３は、開口頂部と開口底部を備えると共に濾過ユニット１３と出口１２４に対応するように配置される。
複数の孔２２１は、内部部品２０の下端を貫通するように形成され且つ内部チューブ２３の周りに配置される。
孔２２１は、第１と第２の空間１１と２２と連通する。
【００１３】
複数の濾過粒子２４は、第２の空間２２内に収容される。
濾過ネット２５は、第２の空間２２の開口頂部と内部チューブ２３の開口頂部に接続される。
【００１４】
第２のカバー２５は、内部部品２０の開口頂部に取り付けられ且つその頂部に複数の接続片２７を有する。各接続片２７は、分離片２８と接続される。
【００１５】
濾過剤２９は、接続片２７に接続されると共に第２のカバーと濾過剤２９との間のギャップを形成するように分離片２８上に載置される。
濾過剤２９は、それを貫通するように形成される複数の通路２９１を備える。濾過剤２９の頂部は、筒状部１４１の収容凹部１４３と係合する。
【００１６】
図７を参照すると、水は、入口１４２からケーシング１０内に導入され、濾過剤２９の通路２９１を通過するように流れて、第１の空間１１を充填する。
第１の空間１１内の水は、孔２２１を介して第２の空間２２内に入り、濾過粒子２４を通過する。
水のレベルが内部チューブ２３の開口頂部に達すると、水は、濾過ネット２５を通過し、内部チューブ２３内に流れる。
水は、濾過ユニット１３を通過し、出口１２４から流出する。
【００１７】
但し、水は、出口１２４から流出する前に、第１と第２の空間１１と２２を充填しなければならないことに留意されたい。
それによって、濾過水の量は一定の量に維持することができる。
更に、水が出口から流出しない時でも、濾過粒子２４は水と合流する。
これにより、濾過粒子は水不足により互いに付着することがなくなる。
【００１８】
水の濾過装置の第２の実施形態を図８に示す。
本例において、肩部２３１は、内部チューブ２３の外周から延出し、第２の空間２２内に配置される。
【００１９】
ネット部材３０は、第２の空間２２内に配置され、且つ肩部２３１の頂部に載置される。
ネット部材３０は、中心に貫通するように形成され且つ内部チューブ２３に対応して配置される貫通孔３１を有する。
【００２０】
複数の濾過粒子３２は、ネット部材３０内に充填される。
【００２１】
第１のカバー１４は、筒状部１４１の外周に形成される雄螺子１４４を有し、雌螺子１２５が、出口１２４の内周に形成される。
この雄螺子１４４によって、水の濾過装置を蛇口や水源に簡単に接続することが可能となり、雌螺子１２５は、濾過水を集めるためのホース等と接続するのに便利である。
また、第１と第２のカバー１４と２６は、ケーシング１０と内部部品２０と螺合することもできる。
ネット部材３０により、ネット部材３０をケーシング１０から引き出すことによって濾過粒子３２の交換が可能となる。この構成により濾過粒子３２を容易に且つ巧みに交換することができる。
【００２２】
図９は、水の濾過装置の第３の実施形態を示す。
本実施形態では、ケーシング１０、係合部分１２及び第１のカバー１４が省略されており、内部部品２０が、内部部品２０の両端に接続される２つの固定ヘッド２００と連動している。
【００２３】
各固定ヘッド２００は、Ｏリングを備えている。内部チューブ２３は、その下端で固定ヘッド２００を貫通するように延出している。
内部部品２０は２つの固定ヘッド２００と共にパイプ３００に挿入され、固定ヘッド２０のＯリングは、パイプ３００の内側に接触している。
【００２４】
水は内部部品２０の頂端の固定ヘッド２００の頂部の凹部から流入し、内部部品２０の頂端の固定ヘッド２００の放射孔を通過して流れた後、孔２２１を介して内部部品２０に流入し、濾過粒子２４によって濾過される。水のレベルが内部チューブ２３の開口頂部に達すると、水は内部チューブ２３の開口頂部を介して内部チューブ２３内に流れ、内部部品２０の下端の固定ヘッド２００を介して流出する。
【００２５】
以上において本考案による実施形態を図示及び説明してきたが、本考案の適用範囲から逸脱することなく更なる実施形態が作られる場合があることが、当業者に明らかになるはずである。
【図面の簡単な説明】
【００２６】
【図１】本考案の水の濾過装置を示す横断面図である。
【図２】本考案の水の濾過装置のケーシングを示す横断面図である。
【図３】本考案の水の濾過装置の内部部品のカバーを示す上面図である。
【図４】本考案の水の濾過装置の内部部品のカバーを示す側面図である。
【図５】本考案の水の濾過装置の内部部品を示す上面図である。
【図６】本考案の水の濾過装置の内部部品の横断面図である。
【図７】本考案の水の濾過装置中の水流の方向を示す。
【図８】本考案の水の濾過装置の第２の実施形態である。
【図９】本考案の水の濾過装置の内部部品のみが、水を濾過するためのチューブに挿入されることを示す。
【図１】
0003148008.tif 000003
【図２】
0003148008.tif 000004
【図３】
0003148008.tif 000005
【図４】
0003148008.tif 000006
【図５】
0003148008.tif 000007
【図６】
0003148008.tif 000008
【図７】
0003148008.tif 000009
【図８】
0003148008.tif 000010
【図９】
0003148008.tif 000011